【手続補正書】
【提出日】平成16年10月8日(2004.10.8)
【手続補正１】
【補正対象書類名】明細書
【補正対象項目名】発明の名称
【補正方法】変更
【補正の内容】
【発明の名称】印刷処理システム、印刷管理装置及び印刷管理装置の制御方法
【手続補正２】
【補正対象書類名】明細書
【補正対象項目名】特許請求の範囲
【補正方法】変更
【補正の内容】
【特許請求の範囲】
【請求項１】
ネットワークを介して接続された情報処理装置と印刷管理装置とで構成される印刷処理システムにおいて、
前記印刷管理装置は、前記情報処理装置からの印刷処理要求に応じて、印刷用画像を縮小し作成された編集用画像に印刷にかかわる情報を付加する画像編集手段と、該編集用画像を前記情報処理装置に送信する編集用画像送信手段とを有し、
前記情報処理装置は、前記印刷管理装置から送られてきた編集用画像を受け取る画像取得手段と、該編集用画像に付加された印刷にかかわる情報に基づいて該画像の出力装置に対する印刷設定を行ってプリントオーダを作成するプリントオーダ作成手段と、該プリントオーダを前記印刷管理装置に送信するプリントオーダ送信手段とを有することを特徴とする印刷処理システム。
【請求項２】
前記情報処理装置での印刷設定において、前記印刷にかかわる情報と異なる設定を行った場合には警告を表示することを特徴とする請求項１記載の印刷処理システム。
【請求項３】
前記印刷管理装置は、前記情報処理装置から送られてきたプリントオーダを受け取り、出力装置に印刷を指示するプリントオーダ処理手段を更に有することを特徴とする請求項１又は請求項２記載の印刷処理システム。
【請求項４】
前記編集用画像に付加される印刷にかかわる情報は、前記印刷用画像を印刷する出力装置の機種名であることを特徴とする請求項１乃至請求項３の何れか一項記載の印刷処理システム。
【請求項５】
前記編集用画像に付加される印刷にかかわる情報は、前記印刷用画像の解像度情報であることを特徴とする請求項１乃至請求項３の何れか一項記載の印刷処理システム。
【請求項６】
前記編集用画像に付加される印刷にかかわる情報としての印刷用画像を印刷する出力装置の機種名、属するグループ、余白、解像度情報を、格納及び管理する手段を更に有することを特徴とする請求項１乃至請求項５の何れか一項記載の印刷処理システム。
【請求項７】
ネットワークを介して情報処理装置と接続された印刷管理装置において、
前記情報処理装置からの印刷処理要求に応じて、印刷用画像を縮小し作成された編集用画像に印刷にかかわる情報を付加する画像編集手段と、
前記編集用画像を前記情報処理装置に送信する編集用画像送信手段と、
前記情報処理装置から送られてきた編集用画像に基づいて作成されたプリントオーダを受け取り出力装置に印刷を指示するプリントオーダ処理手段とを有することを特徴とする印刷管理装置。
【請求項８】
前記編集用画像に付加される印刷にかかわる情報は、前記印刷用画像を印刷する出力装置の機種名であることを特徴とする請求項７記載の印刷管理装置。
【請求項９】
前記編集用画像に付加される印刷にかかわる情報は、前記印刷用画像の解像度情報であることを特徴とする請求項７記載の印刷管理装置。
【請求項１０】
前記編集用画像に付加される印刷にかかわる情報としての印刷用画像を印刷する出力装置の機種名、属するグループ、余白、解像度情報を、格納及び管理する手段を更に有することを特徴とする請求項７乃至請求項９の何れか一項記載の印刷管理装置。
【請求項１１】
ネットワークを介して情報処理装置と接続された印刷管理装置の制御方法において、
前記情報処理装置からの印刷処理要求に応じて、印刷用画像を縮小し作成された編集用画像に印刷にかかわる情報を付加する画像編集工程と、
前記編集用画像を前記情報処理装置に送信する編集用画像送信工程と、
前記情報処理装置から送られてきた編集用画像に基づいて作成されたプリントオーダを受け取り出力装置に印刷を指示するプリントオーダ処理工程とを有することを特徴とする印刷管理装置の制御方法。
【請求項１２】
前記編集用画像に付加される印刷にかかわる情報は、前記印刷用画像を印刷する出力装置の機種名であることを特徴とする請求項１１記載の印刷管理装置の制御方法。
【請求項１３】
前記編集用画像に付加される印刷にかかわる情報は、前記印刷用画像の解像度情報であることを特徴とする請求項１１記載の印刷管理装置の制御方法。
【請求項１４】
前記編集用画像に付加される印刷にかかわる情報としての印刷用画像を印刷する出力装置の機種名、属するグループ、余白、解像度情報を、格納及び管理する工程を更に有することを特徴とする請求項１１乃至請求項１３の何れか一項記載の印刷管理装置の制御方法。
【請求項１５】
前記請求項１１乃至請求項１４の何れか一項記載の印刷管理装置の制御方法の各手順をコンピュータに実行させるためのプログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、ネットワークを介して接続された情報処理装置と印刷管理装置とで構成される印刷処理システム、印刷管理装置及び印刷管理装置の制御方法に関する。
【手続補正４】
【補正対象書類名】明細書
【補正対象項目名】０００６
【補正方法】変更
【補正の内容】
【０００６】
本発明は、上記課題を解決するためになされたもので、ネットワークを介して接続された情報処理装置からの画像印刷処理要求に対して、当該印刷用画像より作成された編集用画像データに印刷にかかわる情報を付加して伝送することにより、ユーザの利便性及び伝送効率を向上させることを目的とする。
【手続補正５】
【補正対象書類名】明細書
【補正対象項目名】０００７
【補正方法】変更
【補正の内容】
【０００７】
【課題を解決するための手段】
上記目的を達成するために、本発明は、ネットワークを介して接続された情報処理装置と印刷管理装置とで構成される印刷処理システムにおいて、前記印刷管理装置は、前記情報処理装置からの印刷処理要求に応じて、印刷用画像を縮小し作成された編集用画像に印刷にかかわる情報を付加する画像編集手段と、該編集用画像を前記情報処理装置に送信する編集用画像送信手段とを有し、前記情報処理装置は、前記印刷管理装置から送られてきた編集用画像を受け取る画像取得手段と、該編集用画像に付加された印刷にかかわる情報に基づいて該画像の出力装置に対する印刷設定を行ってプリントオーダを作成するプリントオーダ作成手段と、該プリントオーダを前記印刷管理装置に送信するプリントオーダ送信手段とを有することを特徴とする。
【手続補正６】
【補正対象書類名】明細書
【補正対象項目名】０００８
【補正方法】変更
【補正の内容】
【０００８】
また、上記目的を達成するために、本発明は、ネットワークを介して情報処理装置と接続された印刷管理装置において、前記情報処理装置からの印刷処理要求に応じて、印刷用画像を縮小し作成された編集用画像に印刷にかかわる情報を付加する画像編集手段と、前記編集用画像を前記情報処理装置に送信する編集用画像送信手段と、前記情報処理装置から送られてきた編集用画像に基づいて作成されたプリントオーダを受け取り出力装置に印刷を指示するプリントオーダ処理手段とを有することを特徴とする。
【手続補正７】
【補正対象書類名】明細書
【補正対象項目名】００８１
【補正方法】変更
【補正の内容】
【００８１】
【発明の効果】
以上説明したように、本発明によれば、ネットワークを介して接続された情報処理装置からの画像印刷処理要求に対して、当該印刷用画像より作成された編集用画像データに印刷にかかわる情報を付加して伝送することにより、ユーザの利便性及び伝送効率を向上させることが可能になる。